【手続補正書】
【提出日】平成29年4月24日(2017.4.24)
【手続補正１】
【補正対象書類名】特許請求の範囲
【補正対象項目名】全文
【補正方法】変更
【補正の内容】
【特許請求の範囲】
【請求項１】
商品の契約内容を表した商品図を複数含む文書を出力する情報処理装置であって、
前記商品図の描画に用いる図形を管理する管理手段と、
複数の前記契約内容に係る前記図形の描画に用いるパラメータを取得するパラメータ取得手段と、
前記管理手段により管理されている図形と、前記パラメータ取得手段により取得されたパラメータとを用いて、複数の商品図を並べて描画する商品図描画手段と、
前記商品図描画手段により描画された商品図に係る位置情報を取得する位置情報取得手段と、
前記位置情報取得手段により取得された位置情報を用いて、前記商品図描画手段により描画された商品図を跨ぐ線を描画する線描画手段と
を備えることを特徴とする情報処理装置。
【請求項２】
前記線描画手段は、
前記位置情報取得手段により取得された位置情報を用いて、前記商品図描画手段により並べて描画された商品図と、当該商品図に対応する商品の前記契約内容に係る表記とを結ぶ線を描画すること
を特徴とする請求項１に記載の情報処理装置。
【請求項３】
前記線描画手段により描画された複数の線同士の距離が所定の範囲内にある場合は、当該線が結ぶ前記契約内容に係る表記同士が重ならないように、前記位置情報取得手段により取得された位置情報からずらして前記契約内容に係る表記を描画すること
を特徴とする請求項２に記載の情報処理装置。
【請求項４】
前記線描画手段により描画された複数の線が結ぶ前記契約内容に係る表記同士が重なる場合は、当該線が結ぶ前記契約内容に係る表記同士が重ならないように、前記位置情報取得手段により取得された位置情報からずらして前記契約内容に係る表記を描画すること
を特徴とする請求項２または３に記載の情報処理装置。
【請求項５】
前記線描画手段は、描画される複数の線が重なる場合、当該複数の線のうち短い線が見えないように長い線を描画すること
を更に備えることを特徴とする請求項１乃至４のいずれか１項に記載の情報処理装置。
【請求項６】
前記位置情報取得手段は、前記商品図描画手段により描画された複数の商品図に係る位置情報を取得し、
前記位置情報取得手段により取得された複数の位置情報を用いて、当該複数の位置情報に係る複数の商品図の商品をまとめて説明する表記を出力する説明出力手段
を更に備えることを特徴とする請求項１乃至５のいずれか１項に記載の情報処理装置。
【請求項７】
前記商品図描画手段により描画された商品図に係る色情報を取得する色情報取得手段と、
前記線描画手段は、
前記色情報取得手段により取得された色情報に従って決定した色を用いて、前記商品図描画手段により描画された商品図であって、前記色情報取得手段により色情報を取得した商品図とは異なる商品図を跨ぐ線を描画すること
を特徴とする請求項１乃至６のいずれか１項に記載の情報処理装置。
【請求項８】
前記商品図描画手段により描画された商品図と、前記線描画手段により描画された線とを含む文書を出力する文書出力手段
を更に備えることを特徴とする請求項１乃至７のいずれか１項に記載の情報処理装置。
【請求項９】
商品の契約内容を表した商品図を複数含む文書を出力する情報処理装置と、前記商品図の描画に用いる図形に係るパラメータを記憶するサーバとを含む文書出力システムであって、
前記サーバは、
前記パラメータを管理するパラメータ管理手段と、
前記文書の出力に用いる文書情報を出力する文書情報出力手段と
を備え、
前記情報処理装置は、
前記図形を管理する管理手段と、
前記パラメータ管理手段から前記パラメータを取得するパラメータ取得手段と、
前記管理手段により管理されている図形と、前記パラメータ取得手段により取得されたパラメータとを用いて、複数の前記商品図を並べて描画する商品図描画手段と、
前記商品図描画手段により描画された商品図に係る位置情報を取得する位置情報取得手段と、
前記位置情報取得手段により取得された位置情報を用いて、前記商品図描画手段により描画された商品図を跨ぐ線を描画する線描画手段と、
前記商品図描画手段により描画された商品図と、前記線描画手段により描画された線とを含むファイルを出力する商品図ファイル出力手段と、
前記商品図ファイル出力手段により出力されたファイルの保管場所を取得する保管場所取得手段と、
前記文書情報出力手段により出力された文書情報を取得する文書情報取得手段と、
前記保管場所取得手段により取得された保管場所を用いて、前記ファイルを取得するファイル取得手段と、
前記文書情報取得手段により取得した文書情報と、前記ファイル取得手段により取得したファイルとを用いて、前記商品図を含む文書を出力する文書出力手段と
を備えることを特徴とする文書出力システム。
【請求項１０】
商品の契約内容を表した商品図を複数含む文書を出力する情報処理装置における処理方法であって、
前記情報処理装置が、
前記商品図の描画に用いる図形を管理する管理ステップと、
複数の前記契約内容に係る前記図形の描画に用いるパラメータを取得するパラメータ取得ステップと、
前記管理ステップにより管理されている図形と、前記パラメータ取得ステップにより取得されたパラメータとを用いて、複数の商品図を並べて描画する商品図描画ステップと、
前記商品図描画ステップにより描画された商品図に係る位置情報を取得する位置情報取得ステップと、
前記位置情報取得ステップにより取得された位置情報を用いて、前記商品図描画ステップにより描画された商品図を跨ぐ線を描画する線描画ステップと
を実行することを特徴とする処理方法。
【請求項１１】
商品の契約内容を表した商品図を複数含む文書を出力する情報処理装置と、前記商品図の描画に用いる図形に係るパラメータを記憶するサーバとを含む文書出力システムにおける処理方法であって、
前記サーバが、
前記パラメータを管理するパラメータ管理ステップと、
前記文書の出力に用いる文書情報を出力する文書情報出力ステップと
を実行し、
前記情報処理装置が、
前記図形を管理する管理ステップと、
前記パラメータ管理ステップから前記パラメータを取得するパラメータ取得ステップと、
前記管理ステップにより管理されている図形と、前記パラメータ取得ステップにより取得されたパラメータとを用いて、複数の前記商品図を並べて描画する商品図描画ステップと、
前記商品図描画ステップにより描画された商品図に係る位置情報を取得する位置情報取得ステップと、
前記位置情報取得ステップにより取得された位置情報を用いて、前記商品図描画ステップにより描画された商品図を跨ぐ線を描画する線描画ステップと、
前記商品図描画ステップにより描画された商品図と、前記線描画ステップにより描画された線とを含むファイルを出力する商品図ファイル出力ステップと、
前記商品図ファイル出力ステップにより出力されたファイルの保管場所を取得する保管場所取得ステップと、
前記文書情報出力ステップにより出力された文書情報を取得する文書情報取得ステップと、
前記保管場所取得ステップにより取得された保管場所を用いて、前記ファイルを取得するファイル取得ステップと、
前記文書情報取得ステップにより取得した文書情報と、前記ファイル取得ステップにより取得したファイルとを用いて、前記商品図を含む文書を出力する文書出力ステップと
を実行することを特徴とする処理方法。
【請求項１２】
商品の契約内容を表した商品図を複数含む文書を出力する情報処理装置で実行可能なプログラムであって、
前記情報処理装置を、
前記商品図の描画に用いる図形を管理する管理手段と、
複数の前記契約内容に係る前記図形の描画に用いるパラメータを取得するパラメータ取得手段と、
前記管理手段により管理されている図形と、前記パラメータ取得手段により取得されたパラメータとを用いて、複数の商品図を並べて描画する商品図描画手段と、
前記商品図描画手段により描画された商品図に係る位置情報を取得する位置情報取得手段と、
前記位置情報取得手段により取得された位置情報を用いて、前記商品図描画手段により描画された商品図を跨ぐ線を描画する線描画手段
として機能させるためのプログラム。
【請求項１３】
商品の契約内容を表した商品図を複数含む文書を出力する情報処理装置と、前記商品図の描画に用いる図形に係るパラメータを記憶するサーバとを含む文書出力システムで実行可能なプログラムであって、
前記サーバを、
前記パラメータを管理するパラメータ管理手段と、
前記文書の出力に用いる文書情報を出力する文書情報出力手段
として機能させ、
前記情報処理装置を、
前記図形を管理する管理手段と、
前記パラメータ管理手段から前記パラメータを取得するパラメータ取得手段と、
前記管理手段により管理されている図形と、前記パラメータ取得手段により取得されたパラメータとを用いて、複数の前記商品図を並べて描画する商品図描画手段と、
前記商品図描画手段により描画された商品図に係る位置情報を取得する位置情報取得手段と、
前記位置情報取得手段により取得された位置情報を用いて、前記商品図描画手段により描画された商品図を跨ぐ線を描画する線描画手段と、
前記商品図描画手段により描画された商品図と、前記線描画手段により描画された線とを含むファイルを出力する商品図ファイル出力手段と、
前記商品図ファイル出力手段により出力されたファイルの保管場所を取得する保管場所取得手段と、
前記文書情報出力手段により出力された文書情報を取得する文書情報取得手段と、
前記保管場所取得手段により取得された保管場所を用いて、前記ファイルを取得するファイル取得手段と、
前記文書情報取得手段により取得した文書情報と、前記ファイル取得手段により取得したファイルとを用いて、前記商品図を含む文書を出力する文書出力手段
として機能させるためのプログラム。
【手続補正２】
【補正対象書類名】明細書
【補正対象項目名】０００５
【補正方法】変更
【補正の内容】
【０００５】
そこで、本発明の目的は、図形を組み合わせることにより、複雑な商品図を容易に描画する仕組みを提供することである。
【手続補正３】
【補正対象書類名】明細書
【補正対象項目名】０００６
【補正方法】変更
【補正の内容】
【０００６】
商品の契約内容を表した商品図を複数含む文書を出力する情報処理装置であって、前記商品図の描画に用いる図形を管理する管理手段と、複数の前記契約内容に係る前記図形の描画に用いるパラメータを取得するパラメータ取得手段と、前記管理手段により管理されている図形と、前記パラメータ取得手段により取得されたパラメータとを用いて、複数の商品図を並べて描画する商品図描画手段と、前記商品図描画手段により描画された商品図に係る位置情報を取得する位置情報取得手段と、前記位置情報取得手段により取得された位置情報を用いて、前記商品図描画手段により描画された商品図を跨ぐ線を描画する線描画手段とを備えることを特徴とする情報処理装置。
【手続補正４】
【補正対象書類名】明細書
【補正対象項目名】０００７
【補正方法】変更
【補正の内容】
【０００７】
本発明によれば、図形を組み合わせることにより、複雑な商品図を容易に描画する仕組みを提供することができる。